(57)【要約】【課題】表示制御回路基板に接続されているフレキシブル基板が裏蓋の開口部を介して外部に引き出されている表示装置において、フレキシブル基板の接続部を外力から保護するとともに、高周波雑音の漏洩を低減する。【解決手段】少なくとも表示パネル１０の背面側を支持するホルダ３０を備え、ホルダ３０の底面に表示制御回路基板４０が配設され、表示制御回路基板４０にフレキシブル基板５０の一端が接続されており、ホルダ３０の底面側が金属製の裏蓋６２により覆われ、フレキシブル基板５０が裏蓋６２の開口部６３から外部に引き出されている表示装置において、開口部６３の一辺に、表示制御回路基板４０側に向かって延びフレキシブル基板５０の一端側の基板部分５２に当接する基板押え片７１を連設する。【選択図】図１
2008009229.tif 000002
【特許請求の範囲】
【請求項１】
少なくとも表示パネルの背面側を支持するホルダを備え、上記ホルダの底面に表示制御回路基板が配設されているとともに、上記表示制御回路基板にフレキシブル基板の一端が接続されており、上記ホルダの底面側が金属製の裏蓋により覆われ、上記フレキシブル基板の他端側が上記裏蓋に形成されている開口部から外部に引き出されている表示装置において、
上記開口部の一辺に、上記表示制御回路基板側に向かって延び上記フレキシブル基板の一端側の基板部分に当接する基板押え片が連設されていることを特徴とする表示装置。
【請求項２】
上記表示制御回路基板に対する上記フレキシブル基板の接続部分と、上記基板押え片が当接される上記フレキシブル基板の一端側の基板部分との間が、上記基板押え片により上記表示制御回路基板とほぼ平行にされることを特徴とする請求項１に記載の表示装置。
【請求項３】
上記基板押え片の先端部分が、上記裏蓋側に向けて所定角度で折り曲げられていることを特徴とする請求項１または２に記載の表示装置。
【請求項４】
上記開口部の他の辺に、上記表示制御回路基板の基板面にまで延びるシールド片が連設されていることを特徴とする請求項１ないし３のいずれか１項に記載の表示装置。
【発明の詳細な説明】
【技術分野】
【０００１】
本発明は、液晶パネルに代表される表示パネルを有する表示装置に関し、さらに詳しく言えば、装置筐体の裏面側からフレキシブル基板が引き出されている表示装置に関するものである。
【背景技術】
【０００２】
表示パネルには、液晶パネルのほかに有機ＥＬパネルやプラズマディスプレイなどが含まれるが、ここでは通常よく用いられている液晶パネルによる表示装置の構成例を図３の断面図および図４の底面図により説明する。
【０００３】
図３に示すように、この表示装置１は液晶パネル１０を備えている。この従来例において、液晶パネル１０は半透過もしくは透過型であるため、その背面側（反観察面側）にバックライト２０が配置される。バックライトには直下型とサイドライト型とがあるが、ここでのバックライト２０は、導光板２１の側方に光源（発光ダイオード）２２を配置してなるサイドライト型である。
【０００４】
液晶パネル１０とバックライト２０を支持するためホルダ３０が用いられる。通常、ホルダ３０は合成樹脂製で、４つの側枠と底板とにより囲まれた凹部を有し、その凹部内にバックライト２０が収納され、バックライト２０の上に液晶パネル１０が配置される。
【０００５】
ホルダ３０の底板の底面に沿って表示制御回路基板４０が配設される。表示制御回路基板４０は、図示省略の内部フレキシブル基板を介して液晶パネル１０とバックライト２０とに接続され、液晶パネル１０に対しては表示駆動信号を与え、バックライト２０には点灯電源を供給する。
【０００６】
表示制御回路基板４０には、外部機器接続用のフレキシブル基板５０の一端が接続される。その接続は、通常、はんだ付けもしくはコネクタにより行われるが、この例ではソケット型のコネクタ４１が用いられている。
【０００７】
装置筐体として、液晶パネル１０側から表示窓を有する額縁状のベゼルカバー６１が被せられ、また、ホルダ３０の底面側には裏蓋６２が被せられるが、フレキシブル基板５０の他端側を装置筐体外に引き出すため、図４に示すように、裏蓋６２には開口部６３が設けられる。
【０００８】
表示制御回路基板４０には、例えばインバータなどの高周波雑音を発生する電気部品が搭載されることがある。そこで、高周波雑音の外部への漏洩を防止するため、特許文献１に記載されているように、通常、ベゼルカバー６１と裏蓋６２には金属製のものが用いられている。
【０００９】
【特許文献１】特開２００２−３５１３４９号公報
【発明の開示】
【発明が解決しようとする課題】
【００１０】
しかしながら、上記従来例によると次のような問題がある。まず第１に、フレキシブル基板５０に引張力や機械的振動などの外力が加えられると、その応力がフレキシブル基板５０の接続部分に直接的に加えられるため、接続不良（コネクタの場合には「外れ」，はんだ付けの場合には「剥離」）を起こすことがある。
【００１１】
第２に、裏蓋６２は金属材よりなるが、裏蓋６２にはフレキシブル基板５０を引き出すための開口部６３が設けられているため、依然として開口部６３から高周波雑音が漏洩することがあり、これによって周辺機器が誤動作を起こすという問題がある。
【００１２】
したがって、本発明の課題は、表示制御回路基板に接続されているフレキシブル基板が裏蓋の開口部を介して外部に引き出されている表示装置において、フレキシブル基板の接続部を外力から保護するとともに、高周波雑音の漏洩を低減することにある。
【課題を解決するための手段】
【００１３】
上記課題を解決するため、請求項１に記載の発明は、少なくとも表示パネルの背面側を支持するホルダを備え、上記ホルダの底面に表示制御回路基板が配設されているとともに、上記表示制御回路基板にフレキシブル基板の一端が接続されており、上記ホルダの底面側が金属製の裏蓋により覆われ、上記フレキシブル基板の他端側が上記裏蓋に形成されている開口部から外部に引き出されている表示装置において、上記開口部の一辺に、上記表示制御回路基板側に向かって延び上記フレキシブル基板の一端側の基板部分に当接する基板押え片が連設されていることを特徴としている。
【００１４】
請求項２に記載の発明は、上記請求項１において、上記表示制御回路基板に対する上記フレキシブル基板の接続部分と、上記基板押え片が当接される上記フレキシブル基板の一端側の基板部分との間が、上記基板押え片により上記表示制御回路基板とほぼ平行にされることを特徴としている。
【００１５】
請求項３に記載の発明は、上記請求項１または２において、上記基板押え片の先端部分が、上記裏蓋側に向けて所定角度で折り曲げられていることを特徴としている。
【００１６】
請求項４に記載の発明は、上記請求項１ないし３のいずれか１項において、上記開口部の他の辺に、上記表示制御回路基板の基板面にまで延びるシールド片が連設されていることを特徴としている。
【発明の効果】
【００１７】
請求項１に記載の発明によれば、裏蓋に形成されている開口部の一辺に、表示制御回路基板側に向かって延びフレキシブル基板の一端側の基板部分に当接する基板押え片が連設されていることにより、フレキシブル基板に加えられる外力がフレキシブル基板の接続部分に直接的に加えられないため、フレキシブル基板の接続部分を外力から保護でき、また、基板押え片がシールドとしても機能するため、高周波雑音の漏洩も低減される。
【００１８】
請求項２に記載の発明によれば、フレキシブル基板の接続部分と、基板押え片が当接されるフレキシブル基板の一端側の基板部分との間が、基板押え片により表示制御回路基板とほぼ平行にされるため、フレキシブル基板の接続部分を接続時の状態、すなわち応力がほとんどかけられていない状態に維持することができる。
【００１９】
請求項３に記載の発明によれば、基板押え片の先端部分が裏蓋側に向けて所定角度で折り曲げられていることにより、基板押え片によるフレキシブル基板への傷付けを防止することができる。
【００２０】
請求項４に記載の発明によれば、裏蓋に形成されている開口部の他の辺に、表示制御回路基板の基板面にまで延びるシールド片が連設されていることにより、高周波雑音の漏洩をより低減することができる。
【発明を実施するための最良の形態】
【００２１】
次に、図１および図２により、本発明の実施形態について説明するが、本発明はこれに限定されるものではない。図１は本発明の表示装置を示す断面図，図２はその底面図である。なお、この実施形態の説明で、先の図３で説明した従来例と変更を要しない構成要素については同じ参照符号を用いる。
【００２２】
図１に示すように、この表示装置１Ａは、液晶パネル１０を表示パネルとして備えている。この例において、液晶パネル１０は半透過もしくは透過型であるため、その背面側（反観察面側）にバックライト２０が配置される。なお、表示パネルとして、反射型液晶パネルや自発光型の有機ＥＬパネルが用いられる場合、バックライトは不要となる。
【００２３】
バックライトには直下型とサイドライト型とがあるが、ここで用いているバックライト２０は、導光板２１の側方に光源（発光ダイオード）２２を配置してなるサイドライト型である。なお、導光板２１の底面側には光反射シートが配置され、また、導光板２１の光出射面側には光拡散シートや輝度上昇フィルムなどの光学フィルムが配置される。
【００２４】
液晶パネル１０およびバックライト２０に対する支持手段としてホルダ３０が用いられる。通常、ホルダ３０は合成樹脂製で、上面側に４つの側枠と底板とにより囲まれた凹部を有し、その凹部内にバックライト２０が収納され、バックライト２０の上に液晶パネル１０が配置される。
【００２５】
ホルダ３０の底板の底面に沿って表示制御回路基板４０が配設される。表示制御回路基板４０は、図示省略の内部フレキシブル基板を介して液晶パネル１０とバックライト２０とに接続され、液晶パネル１０に対しては表示駆動信号を与え、バックライト２０には点灯電源を供給する。
【００２６】
表示制御回路基板４０には、外部機器接続用のフレキシブル基板５０の一端が接続される。その接続は、通常、はんだ付けもしくはコネクタにより行われるが、この例ではソケット型のコネクタ４１が用いられている。フレキシブル基板５０の接続部分に参照符号５１を付す。
【００２７】
装置筐体として、液晶パネル１０側から表示窓を有する額縁状のベゼルカバー６１が被せられ、また、ホルダ３０の底面側には裏蓋６２が被せられるが、フレキシブル基板５０の他端側を装置筐体外に引き出すため、図２に示すように、裏蓋６２には開口部６３が設けられている。
【００２８】
表示制御回路基板４０から発生する高周波雑音をシールドするため、ベゼルカバー６１と裏蓋６２には金属製のものが用いられるが、裏蓋６２に開口部６３が形成されていることにより、この開口部６３から高周波雑音が漏洩することがある。また、フレキシブル基板５０に加えられる外力により、フレキシブル基板５０の接続部分５１が接続不良を起こすことがある。
【００２９】
そこで、本発明では、フレキシブル基板５０に加えられる外力から接続部分５１を保護し、また、高周波雑音の漏洩をより低減するため、裏蓋６２の開口部６３の一辺に基板押え片７１を連設し、好ましくは開口部６３の他の辺にシールド片７２を連設する。なお、フレキシブル基板５０に加えられる外力には、引張力や車載時における機械的な振動が含まれる。
【００３０】
図２に示すように、裏蓋６２の開口部６３が例えば矩形状であるとして、基板押え片７１は、開口部６３のうちのコネクタ４１に近い側の一辺６３ａから、フレキシブル基板５０の一端側の基板部分５２に当接するように表示制御回路基板４０側に向かって折り曲げられている。
【００３１】
この基板押え片７１が当接する基板部分５２は接続部分５１から所定距離離れた部分である。このように、フレキシブル基板５０は接続部分５１に至る手前側の基板部分５２にて基板押え片７１により押さえられ、フレキシブル基板５０に加えられる外力が直接的に接続部分５１に加えられないため、外力から接続部分５１を保護することができる。
【００３２】
この場合、接続部分５１と、基板押え片７１が当接される基板部分５２との間が、基板押え片７１により、表示制御回路基板４０とほぼ平行にされることが好ましい。これによれば、接続部分５１がコネクタ４１にて接続されるにしても、また、はんだ付けにて接続されるにしても、接続部分５１を接続時の状態、すなわち応力がほとんどかけられていない状態に維持することができる。
【００３３】
なお、基板押え片７１によるフレキシブル基板５０への傷付きを防止する意味で、図１に示すように、基板押え片７１の先端部分７１ａを裏蓋６２側に向けて所定角度で折り曲げることが好ましい。基板押え片７１の先端部分７１ａを円弧状に折り曲げてもよい。
【００３４】
基板押え片７１は高周波雑音に対するシールドとしても機能するが、裏蓋６２の開口部６３からの高周波雑音の漏洩をより少なくするため、この実施形態では、開口部６３の他辺６３ｂ側に表示制御回路基板４０の基板面にまで延びるシールド片７２が連設されている。より好ましくは、開口部６３の残された２辺にもシールド片７２と同様のシールド片を設けるとよい。
【図面の簡単な説明】
【００３５】
【図１】本発明の表示装置を示す断面図。
【図２】図１の底面図。
【図３】従来の表示装置を示す断面図。
【図４】図３の底面図。
【符号の説明】
【００３６】
１Ａ  表示装置
１０  液晶パネル
２０  バックライト
３０  ホルダ
４０  表示制御回路基板
４１  コネクタ
５０  フレキシブル基板
５１  接続部分
５２  基板部分
６１  ベゼルカバー
６２  裏蓋
６３  開口部
７１  基板押え片
７２  シールド片
【図１】
2008009229.tif 000003
【図２】
2008009229.tif 000004
【図３】
2008009229.tif 000005
【図４】
2008009229.tif 000006